(57)【要約】【課題】マトリックス型二次元コード及びその製造方法の提供。【解決手段】本マトリックス型二次元コードは正方形を呈し並びにユニットメッセージブロックを一定規則により間隙無く配列して形成し、該ユニットメッセージブロックは黒色或いは白色とし、マトリックス型二次元コードの白色ユニットメッセージブロックは金属面上にダイキャストにより形成した明平面で表現し、各白色ユニットメッセージブロックの明平面は水平面と一致する傾斜角を形成する。マトリックス型二次元コードの黒色ユニットメッセージブロックは金属面上に形成され且つ水平面と平行な同一平面上に位置する散乱面として表現する。本マトリックス型二次元コードの安定性は高く、可読性が強く、識別しやすい。本発明はまた該マトリックス型二次元コードの製造方法を提供する。【選択図】図４
2011238026.tif 000002
【特許請求の範囲】
【請求項１】
マトリックス型二次元コードにおいて、正方形を呈し並びにユニットメッセージブロックを一定規則により間隙無く配列して形成され、該ユニットメッセージブロックは黒色或いは白色とされ、該マトリックス型二次元コードの白色ユニットメッセージブロックは金属面上にダイキャストにより形成された明平面とされ、各該白色ユニットメッセージブロックの該明平面は水平面と一致する傾斜角を形成し、該マトリックス型二次元コードの黒色ユニットメッセージブロックは金属面上に形成され且つ水平面と平行な同一平面上に位置する散乱面とされることを特徴とする、マトリックス型二次元コード。
【請求項２】
マトリックス型二次元コードの製造方法において、
該マトリックス型二次元コードの各ユニットメッセージブロックに対応するように金属面上に明平面をダイキャストにより形成し、且つ各ユニットメッセージブロックに対応する明平面が水平面に対して一致した傾斜角をなすようにする第１ステップと、
レーザー彫刻機を利用して黒色ユニットメッセージブロックに対応する位置の明平面を除去し並びに水平面と平行な同一平面上に位置する散乱面を形成する第２ステップと、
を包含することを特徴とする、マトリックス型二次元コードの製造方法。
【請求項３】
請求項２記載のマトリックス型二次元コードの製造方法において、第１ステップの前に、該金属面上にダイキャストによりアライメントブロックを形成し、該マトリックス型二次元コードを該アライメントブロックの一側に位置させ、該マトリックス型二次元コードのエッジをアライメントブロックのエッジと垂直に対応させるステップを包含することを特徴とする、マトリックス型二次元コードの製造方法。
【発明の詳細な説明】
【技術分野】
【０００１】
本発明は一種の二次元コードに係り、特に、一種の金属面上に形成されるマトリックス型二次元コード及びその製造方法に関する。
【背景技術】
【０００２】
二次元コードは新たなメッセージの保存と伝送技術とされ、商品ラベル、安全防護及び電子商取引などの多くの領域で広く応用されている。二次元コードはある種の特定の幾何図形を一定規則で二次元方向上に分布する黒白の相互に離間した図形で構成してデータやメッセージを記録する。コード編成上、巧妙にコンピュータ内部ロジックの基礎である０と１のビットストリームの概念を利用し、若干の二進数と対応する幾何形体を使用して文字数値情報を表示し、画像入力設備或いは光電走査設備の自動読込みを通して情報自動処理を実現する。一般的な国際規格二次元コードには、ＰＤＦ４１７、Ｄａｔａ  Ｍａｔｒｉｘ、Ｍａｘｉ  Ｃｏｄｅ及びＱＲ（Quick Response Code）コード（登録商標）等の各種規格がある。そのうち、ＱＲコード（登録商標）は最も広く応用されており、ＱＲコード（登録商標）は超高速、全方位（３６０度）識別の特徴を有し、有効に漢字を表示でき、多くの業種で広く応用されている。ＱＲコード（登録商標）は１系列の小さい正方形情報ブロックで構成された正方形マトリックスであり、明暗のグウレースケール変化により０或いは１を表示し、ＱＲコード（登録商標）を自動車製造、飛行機製造、武器製造及び一切の機械製品に応用する時、金属面或いはプラスチック面に彫刻を用いてＱＲコード（登録商標）を表現する。しかし、その表面が彫刻された後、明と暗のコントラストは印刷面に較べて低く、ＱＲコード（登録商標）の識別難度は大きく且つひずみを発生しやすい。
【０００３】
これにより、安定性が高く、可読性が強く、識別しやすく、上述の欠点を克服できる、マトリックス型二次元コード及びその製造方法が求められている。
【発明の概要】
【発明が解決しようとする課題】
【０００４】
本発明の目的は、安定性が高く、可読性が強く、識別しやすいマトリックス型二次元コードを提供することにある。
【０００５】
本発明の別の目的は、形成するマトリックス型二次元コードが安定性が高く、可読性が強く、識別しやすいマトリックス型二次元コードの製造方法を提供することにある。
【課題を解決するための手段】
【０００６】
上述の目的を達成するため、本発明は一種のマトリックス型二次元コードを提供し、それは、正方形を呈し並びにユニットメッセージブロックを一定規則により間隙無く配列して形成し、該ユニットメッセージブロックは黒色或いは白色とし、マトリックス型二次元コードの白色ユニットメッセージブロックは金属面上にダイキャストにより形成した明平面とし、各白色ユニットメッセージブロックの明平面は水平面と一致する傾斜角を形成する。マトリックス型二次元コードの黒色ユニットメッセージブロックは金属面上に形成し且つ水平面と平行な同一平面上に位置する散乱面とする。
【０００７】
上述の目的を達成するため、本発明は一種のマトリックス型二次元コードの製造方法を提供し、それは、マトリックス型二次元コードの各ユニットメッセージブロックに対応するように金属面上に明平面をダイキャストにより形成し、且つ各ユニットメッセージブロックに対応する明平面が水平面に対して一致した傾斜角をなすようにする第１ステップと、レーザー彫刻機を利用して黒色ユニットメッセージブロックに対応する位置の明平面を除去し並びに水平面と平行な同一平面上に位置する散乱面を形成する第２ステップと、を包含する。
【発明の効果】
【０００８】
上述したように、本発明のマトリックス型二次元コードは明平面と散乱面によりマトリックス型二次元コードの黒色と白色のユニットメッセージブロックを表現し、比較的強い明暗コントラストを有し、形成されるにマトリックス型二次元コードは比較的高い安定性と可読性を有し、且つ識別が簡単である目的を達成する。
【図面の簡単な説明】
【０００９】
【図１】本発明のマトリックス型二次元コードの平面図である。
【図２】図１中の明平面により代表されるマトリックス型二次元コードの白色ユニットメッセージブロックの構造表示図である。
【図３】図１中の散乱面により代表されるマトリックス型二次元コードの黒色ユニットメッセージブロックの構造表示図である。
【図４】本発明のマトリックス型二次元コードの製造方法のフローチャートである。
【発明を実施するための形態】
【００１０】
詳細に本発明の技術内容、構造特徴、達成しようとする目的と作用効果について説明するため、以下に実施例に図面を組み合わせて詳しく説明する。
【００１１】
図１から図３を参照されたい。本発明のマトリックス型二次元コード１０は、金属面或いはプラスチック面上に形成される。該マトリックス型二次元コード１０は、正方形を呈し並びに複数の、正方形を呈するユニットメッセージブロックが一定規則で間隙無く配列されてなり、該ユニットメッセージブロックは黒色ユニット或いは白色ユニットとされ、それぞれ異なる二進数値を表示する。本発明のマトリックス型二次元コード１０の白色ユニットメッセージブロックは金属面上にダイキャストにより形成された明平面１１として表現され、且つ各白色ユニットメッセージブロックを代表する明平面１１はいずれも水平面と一致する傾斜角ψを形成する。そのうち、ψは０から４５度の間で選択されるのがよい。上述のマトリックス型二次元コード１０の黒色ユニットメッセージブロックは散乱面１２として表現され、該散乱面１２は水平面と平行な同一平面上に位置する。明平面１１によりマトリックス型二次元コードの白色ユニットメッセージブロックを表現し、散乱面１２によりマトリックス型二次元コードの黒色ユニットメッセージブロックを表現することにより、明暗コントラストを強化し、可読性と安定性を強化できる。
【００１２】
図４を参照されたい。上述のマトリックス型二次元コード１０の製造方法は以下のステップを包含する；
Ｓ００１（第１ステップ）：マトリックス型二次元コードの各ユニットメッセージブロックに対応するように金属面上に明平面をダイキャストにより形成し、且つ各ユニットメッセージブロックに対応する明平面が水平面に対して一致した傾斜角をなすようにする
Ｓ００２（第２ステップ）：レーザー彫刻機を利用して黒色ユニットメッセージブロックに対応する位置の明平面を除去し並びに水平面と平行な同一平面上に位置する散乱面を形成する。
【００１３】
具体的には、Ｓ００１のステップの前に、さらに上述の金属面上にダイキャストによりアライメントブロック１３を形成し、上述のマトリックス型二次元コード１０は該アライメントブロック１３の一側に位置し、マトリックス型二次元コード１０のエッジはアライメントブロック１３のエッジに垂直に対応する。アライメントブロック１３の案内により、金属面上にダイキャストにより傾斜度が一致する明平面１１を形成するのに便利となり、且つレーザー彫刻機がマトリックス型二次元コード１０の位置情報を獲得するのに便利となり、正確にスピーディーにマトリックス型二次元コードの黒色ユニットメッセージブロック位置に対応する明平面を除去して散乱面１２を形成することができる。
【００１４】
上述したように、本発明のマトリックス型二次元コード１０は明平面と散乱面によりマトリックス型二次元コード１０の黒白のユニットメッセージブロックを表現し、比較的強い明暗コントラストを有し、形成するマトリックス型二次元コード１０に比較的高い安定性と可読性を具備させ、且つ識別を簡単にする目的を達成する。
【符号の説明】
【００１５】
１０  マトリックス型二次元コード
１１  明平面
１２  散乱面
１３  アライメントブロック
【図１】
2011238026.tif 000003
【図２】
2011238026.tif 000004
【図３】
2011238026.tif 000005
【図４】
2011238026.tif 000006